【手続補正書】
【提出日】平成17年10月3日(2005.10.3)
【手続補正１】
【補正対象書類名】明細書
【補正対象項目名】発明の名称
【補正方法】変更
【補正の内容】
【発明の名称】エレベータ運転システム及びエレベータ運転方法及びエレベータ運転プログラム
【手続補正２】
【補正対象書類名】明細書
【補正対象項目名】特許請求の範囲
【補正方法】変更
【補正の内容】
【特許請求の範囲】
【請求項１】  エレベータかご内の画像を撮影するかご内撮影手段と、
前記エレベータかごを移動するエレベータ管理手段と、
携帯端末装置から前記エレベータかごの防犯呼び要求が送信されると、前記かご内撮影手段により撮影された前記画像を取得し前記携帯端末装置に送信し、又この画像を基にユーザにより入力された乗り場呼び要求が前記携帯端末装置から送信されると、前記エレベータ管理手段に前記エレベータかごをエレベータ乗り口に移動することを指示する乗り場呼び手段と、
前記携帯端末装置から前記エレベータかごのかご呼び要求が送信されると、前記エレベータ管理手段に前記エレベータかごを目的階へ直行で移動することを指示するかご呼び手段と、を備えたことを特徴とするエレベータ運転システム。
【請求項２】  前記防犯呼び要求は、ユーザ名とパスワードとを含み、
前記乗り場呼び手段は、前記携帯端末装置から送信された前記防犯呼び要求の前記ユーザ名と前記パスワードとが予め記憶されたユーザ名とパスワードと一致するか否かの判定を行い、一致する場合には利用者認証用のセッション番号を生成し、このセッション番号と前記画像とを前記携帯端末装置に送信することを特徴とする請求項１記載のエレベータ運転システム。
【請求項３】  前記乗り場呼び手段は、前記防犯呼び要求が送信された時刻が予め設定された防犯呼びサービス時間内である場合に、上記判定を行うことを特徴とする請求項２記載のエレベータ運転システム。
【請求項４】  前記乗り場呼び手段は、前記携帯端末装置から乗り場呼び要求とセッション番号とが送信されると、このセッション番号と前記携帯端末装置に送信した前記セッション番号とが一致するか否かの判定を行い、一致する場合には前記エレベータ管理手段に前記エレベータかごを前記エレベータ乗り口に移動することを指示することを特徴とする請求項２記載のエレベータ運転システム。
【請求項５】  前記かご呼び要求は、前記セッション番号と前記目的階とを含み、
前記かご呼び手段は、前記携帯端末装置から前記かご呼び要求が送信されると、前記乗り場呼び手段に前記かご呼び要求のセッション番号が前記携帯端末装置に送信した前記セッション番号と一致するか否かを照合するセッション番号照合要求を送信し、前記乗り場呼び手段から一致するとの照合結果が送信された場合には、前記エレベータ管理手段に前記エレベータかごを前記目的階へ直行で移動することを指示することを特徴とする請求項２記載のエレベータ運転システム。
【請求項６】  前記エレベータかごの移動状態を表示する表示手段を備え、
前記乗り場呼び手段は、前記エレベータ管理手段に前記エレベータかごを前記エレベータ乗り口に移動することを指示した後に、上記表示手段に前記エレベータかごの移動状態を表示させないことを指示する特徴とする請求項１記載のエレベータ運転システム。
【請求項７】  前記エレベータ扉の開閉又は前記エレベータかごを目的階に移動することを指示するかご内操作手段を備え、
上記かご呼び手段は、前記携帯端末装置から前記かご呼び要求が送信された後に、前記かご内操作手段により前記エレベータ扉の開閉又は目的階への移動の指定が行われた場合には、前記エレベータ扉の開閉又は目的階への移動を優先して行うことを特徴とする請求項１記載のエレベータ運転システム。
【請求項８】  前記エレベータかごを前記エレベータ乗り口に移動させることを指示する乗り場操作手段を備え、
前記乗り場呼び手段は、前記乗り場呼び手段による処理と並行して前記乗り場操作手段により上記指示がされた場合には、前記乗り場呼び手段による処理完了後に、前記乗り場操作手段の指示を実行させることを特徴とする請求項１記載のエレベータ運転システム。
【請求項９】  エレベータ降り口付近の人の有無を検出する第１の人感手段を備え、
前記エレベータ管理手段は、エレベータ扉を開閉し、
前記かご呼び手段は、前記エレベータかごが前記目的階に移動されると、前記第１の人感手段により検出された前記エレベータ降り口付近の人の有無情報を取得し、人が存在しないと判定した場合には、前記エレベータ管理手段に前記エレベータ扉を開けることを指示することを特徴とする請求項１記載のエレベータ運転システム。
【請求項１０】  前記かご呼び手段は、前記エレベータかごが前記目的階に移動されると、前記第１の人感手段により検出された前記エレベータ降り口付近の人の有無情報を取得し、人が存在すると判定した場合には、前記目的階を新たな目的階に変更し、前記エレベータ管理手段に新たな目的階に前記エレベータかごを移動することを指示することを特徴とする請求項９記載のエレベータ運転システム。
【請求項１１】  前記乗り場呼び手段は、前記携帯端末装置から前記乗り場呼び要求と前記かご呼び要求とが送信された時に、前記エレベータ管理手段に前記エレベータかごを前記エレベータ乗り口に移動することを指示し、又前記エレベータ管理手段に前記エレベータかごを前記目的階へ直行で移動することを指示することを特徴とする請求項１記載のエレベータ運転システム。
【請求項１２】  前記エレベータかご内の人の有無を検出する第２の人感手段を備え、
前記乗り場呼び手段は、前記携帯端末装置から前記防犯呼びコマンドが送信されると、前記第２の人感手段により検出された前記エレベータかご内の人の有無情報を取得し前記携帯端末装置に送信することを特徴とする請求項１記載のエレベータ運転システム。
【請求項１３】  エレベータ降り口付近の画像を撮影する乗り場撮影手段を備え、
前記かご呼び手段は、前記エレベータかごが目的階に移動されると、前記乗り場撮影手段により撮影された前記エレベータ降り口付近の画像を取得し、前記エレベータ降り口付近に人が存在しないと判定した場合には、前記エレベータ管理手段に前記エレベータ扉を開けることを指示することを特徴とする請求項１記載のエレベータ運転システム。
【請求項１４】  前記かご内撮影手段と前記第１の人感手段と前記エレベータ管理手段と前記乗り場呼び手段と前記かご呼び手段と前記表示手段と前記第２の人感手段と前記乗り場撮影手段とは、ネットワークにより接続され、又前記乗り場呼び手段と前記かご呼び手段とは、前記携帯端末装置と近距離通信ネットワークにより接続されることを特徴とする請求項６、請求項９、請求項１２、請求項１３のいずれかに記載のエレベータ運転システム。
【請求項１５】  エレベータかご内の画像を撮影するかご内撮影ステップと、
前記エレベータかごを移動するエレベータ管理ステップと、
携帯端末装置から前記エレベータかごの防犯呼び要求が送信されると、前記かご内撮影ステップにより撮影された前記画像を取得し前記携帯端末装置に送信し、又この画像を基にユーザにより入力された乗り場呼び要求が前記携帯端末装置から送信されると、前記エレベータ管理ステップに前記エレベータかごをエレベータ乗り口に移動することを指示する第１の指示ステップと、
前記携帯端末装置から前記エレベータかごのかご呼び要求が送信されると、前記エレベータ管理ステップに前記エレベータかごを目的階へ直行で移動することを指示する第２の指示ステップと、を備えたことを特徴とするエレベータ運転方法。
【請求項１６】  エレベータ降り口付近の人の有無を検出する第１の人感ステップを備え、
前記エレベータ管理ステップは、エレベータ扉を開閉し、
前記第２の指示ステップは、前記エレベータかごが前記目的階に移動されると、前記第１の人感手段により検出された前記エレベータ降り口付近の人の有無情報を取得し、人が存在しないと判定した場合には、前記エレベータ管理ステップに前記エレベータ扉を開けることを指示することを特徴とする請求項１５記載のエレベータ運転方法。
【請求項１７】  前記エレベータ降り口付近の画像を撮影する乗り場撮影ステップを備え、
前記第２の指示ステップは、前記エレベータかごが目的階に移動されると、前記乗り場撮影ステップにより撮影された前記エレベータ降り口付近の画像を取得し、前記エレベータ降り口付近に人が存在しないと判定した場合には、前記エレベータ管理ステップに前記エレベータ扉を開けることを指示することを特徴とする請求項１５記載のエレベータ運転方法。
【請求項１８】  前記エレベータかご内の人の有無を検出する第２の人感ステップ備え、
前記第１の指示ステップは、前記携帯端末装置から前記防犯呼びコマンドが送信されると、前記第２の人感ステップにより検出された前記エレベータかご内の人の有無情報を取得し前記携帯端末装置に送信することを特徴とする請求項１４記載のエレベータ運転方法。
【請求項１９】  エレベータかご内の画像を撮影するかご内撮影ステップと、
前記エレベータかごを移動するエレベータ管理ステップと、
携帯端末装置から前記エレベータかごの防犯呼び要求が送信されると、前記かご内撮影ステップにより撮影された前記画像を取得し前記携帯端末装置に送信し、又この画像を基にユーザにより入力された乗り場呼び要求が前記携帯端末装置から送信されると、前記エレベータ管理ステップに前記エレベータかごをエレベータ乗り口に移動することを指示する第１の指示ステップと、
前記携帯端末装置から前記エレベータかごのかご呼び要求が送信されると、前記エレベータ管理ステップに前記エレベータかごを目的階へ直行で移動することを指示する第２の指示ステップと、をコンピュータに実行させることを特徴とするエレベータ運転プログラム。
【手続補正３】
【補正対象書類名】明細書
【補正対象項目名】０００１
【補正方法】変更
【補正の内容】
【０００１】
【発明の属する技術分野】
この発明は、エレベータの利用者が、エレベータ利用時に他の人と遭遇せずにエレベータの利用ができるエレベータ運転システム及びエレベータ運転方法及びエレベータ運転プログラムに関するものである。
【手続補正４】
【補正対象書類名】明細書
【補正対象項目名】００１２
【補正方法】変更
【補正の内容】
【００１２】
【課題を解決するための手段】
この発明に係るエレベータ運転システムは、エレベータかご内の画像を撮影するかご内撮影手段と、
前記エレベータかごを移動するエレベータ管理手段と、
携帯端末装置から前記エレベータかごの防犯呼び要求が送信されると、前記かご内撮影手段により撮影された前記画像を取得し前記携帯端末装置に送信し、又この画像を基にユーザにより入力された乗り場呼び要求が前記携帯端末装置から送信されると、前記エレベータ管理手段に前記エレベータかごをエレベータ乗り口に移動することを指示する乗り場呼び手段と、
前記携帯端末装置から前記エレベータかごのかご呼び要求が送信されると、前記エレベータ管理手段に前記エレベータかごを目的階へ直行で移動することを指示するかご呼び手段と、を備えたものである。